(57)【要約】【課題】基板への実装の際の前倒れを防止できる振動モータの提供。【解決手段】振動モータ１は、モータケース１０の前端から突出したモータ軸２１に偏心錘４０を取着し、モータケース１０の後端開口を塞ぐ端蓋３０の背面３０ａ側に沿って下方に延びた一対のモータ端子片５０，６０を取着して成る。モータ端子片５０，６０は、端蓋３０の下面３０ｂよりも下方へ突出した部分において、下方延出部５３ａ，６３ａから上方へ屈曲し、基板２の矩形孔２ａに差し込むべき湾曲状弾力部（返し屈曲部）５３ｂ，６３ｂを一体的に有する。【選択図】      図１
2006281029.tif 000002
【特許請求の範囲】
【請求項１】
モータケースの前端から突出したモータ軸に偏心錘を取着し、モータケースの後端開口を塞ぐ端蓋の背面側に沿って下方に延びた一対のモータ端子片を取着して成る振動モータであって、
前記各モータ端子片は、前記端蓋の下面よりも下方へ突出した部分において、下方延出部から上方へ屈曲し、基板の孔に差し込むべき湾曲状弾力部を一体的に有することを特徴とする振動モータ。
【請求項２】
請求項１において、前記モータ端子片は、前記端蓋の背面側に沿って延びた第１部分と、第１部分から前方に折れ曲がって前記端蓋の下面側に沿って延びた第２部分と、第２部分から下方に折れ曲がった前記下方延出部の後方側に前記湾曲状弾力部を形成する第３部分とから成ることを特徴とする振動モータ。
【請求項３】
請求項１において、前記モータ端子片は、前記端蓋の背面側に沿って延びた第１部分と、第１部分から前記端蓋の下面よりも下方へ突出した前記下方延出部の前方側に前記湾曲状弾力部を形成する第２部分とから成ることを特徴とする振動モータ。
【発明の詳細な説明】
【技術分野】
【０００１】
本発明は、偏心錘を有する振動モータに関する。
【背景技術】
【０００２】
従来、振動モータは、ブラシ付モータ本体とこれから突出したモータ軸に取着した偏心錘とから成り、多くの場合、携帯電話機の本体器側に内蔵した基板の上に横臥姿勢で実装されている。
【０００３】
【特許文献１】特開２００４―８８９１８
【発明の開示】
【発明が解決しようとする課題】
【０００４】
しかしながら、偏心錘の大型化（重量化）又はモータ本体の小型化の傾向により、一層、振動モータの重心が偏心錘寄りに位置することになり、リフロー炉を使用して振動モータを基板に半田固定する場合、リフロー炉振動モータを基板上に載置した際には、モータ本体がその後端側で基板から浮いて偏心錘側へ傾き、振動モータが前倒れ姿勢となってしまう。この前倒れ姿勢の振動モータではモータ端子と基板上の導電パターンとが密着せず、このままではリフロー炉に基板を送り込むことができない。
【０００５】
そこで上記問題点に鑑み、本発明の課題は、基板への実装の際の前倒れを防止できる振動モータを提供することにある。
【課題を解決するための手段】
【０００６】
上記課題を解決するため、本発明に係る振動モータは、モータケースの前端から突出したモータ軸に偏心錘を取着し、モータケースの後端開口を塞ぐ端蓋の背面側に沿って下方に延びた一対のモータ端子片を取着して成る振動モータであって、各モータ端子片は、端蓋の下面よりも下方へ突出した部分において、下方延出部から上方へ屈曲し、基板の孔に差し込むべき湾曲状弾力部を一体的に有することを特徴とする。
【０００７】
基板への実装の際、一対の湾曲状弾力部を基板の孔に嵌めることにより、モータケースの前端側接触点を中心とする前倒れモーメントが発生しても、湾曲状弾力部と孔との圧入掛り止め又は摩擦抵抗や例えば孔壁に対する湾曲状弾力部の後端が回り止め作用を果すため、振動モータの前倒れを防止することができる。２つの湾曲状弾力部で仮固定されるため、振動モータの横臥姿勢の保持が確実となる。
【０００８】
湾曲状弾力部は弾力的に変形可能であるため、基板の孔への嵌め合いではスムーズな挿入が可能であってオートマウントの位置決め精度をラフにできると共に、挿入後もその弾力性によって締り嵌め状態となるので、リフロー炉への搬送中においても抜けやズレが生じ難い。そして、湾曲状弾力部はモータ端子片と一体であるため、部品点数の追加を招かず、低コスト化を図り得る。
【０００９】
モータ端子片の第１の構成としては、端蓋の背面側に沿って延びた第１部分と、第１部分から前方に折れ曲がって端蓋の下面側に沿って延びた第２部分と、第２部分から下方に折れ曲がった下方延出部の後方側に湾曲状弾力部を形成する第３部分とから成る。斯かる構成では、湾曲状弾力部が基板の孔に差し込まれる際、湾曲状弾力部に印加する反力を端蓋の下面が受け止めるため、モータケース内のブラシ等に接続する第１部分に応力が波及せずに済む。また、湾曲状弾力部が端蓋の下面に隠れ、第２部分が基板の導電パターンに載るため、第１部分と導電パターンとの半田付けが容易になると共に、端蓋の基板占有面積から導電パターンが大きくはみ出さずに済む。
【００１０】
モータ端子片の第２の構成としては、端蓋の背面側に沿って延びた第１部分と、第１部分から端蓋の下面よりも下方へ突出した下方延出部の前方側に湾曲状弾力部を形成する第２部分とから成る。第１の構成の第２部分が無い分、モータ端子片の製造が容易となる。
【発明の効果】
【００１１】
本発明では、モータ端子片が端蓋の下面よりも下方へ突出した部分においてその下方延出部から上方へ屈曲し、基板の孔に差し込むべき湾曲状弾力部を一体的に有しているため、振動モータの前倒れを防止することができる。しかも、２つの湾曲状弾力部で仮固定されるため、振動モータの横臥姿勢の保持が確実となる。更に、湾曲状弾力部は弾力的に変形可能であるため、基板の孔への嵌め合いではスムーズな挿入が可能であってオートマウントの位置決め精度をラフにできると共に、挿入後もその弾力性によって締り嵌め状態となるので、リフロー炉への搬送中においても抜けやズレが生じ難い。そして、湾曲状弾力部はモータ端子片と一体であるため、部品点数の追加を招かず、低コスト化を図り得る。
【発明を実施するための最良の形態】
【００１２】
次に、本発明の実施形態を添付図面に基づいて説明する。
【実施例１】
【００１３】
図１は本発明の実施例１に係る振動モータを基板へ実装する態様を示す斜視図、図２（ａ）は同振動モータの実装状態を示す斜視図、図２（ｂ）は同実装状態を示す断面側面図、図３（ａ）は同振動モータに用いるモータ端子片付き端蓋を示す斜視図、図３（ｂ）は同モータ端子片付き端蓋の背面図、図３（ｃ）は同モータ端子片付き端蓋の側面図である。
【００１４】
本例の振動モータ１は、モータケース１０と、モータ軸２１を持つロータ２０と、ブラシ対３１等を保持しモータケース１０の胴部１１の後端開口（図示せず）を塞ぐ樹脂製の端蓋（エンドブラケット）３０と、モータケース１０の前端から突出したモータ軸２１に取着した高比重金属から成る偏心錘４０とを有する。モータケース１０の胴部１１は平坦上面１１ａと平坦下面１１ｂとなっている。端蓋の背面３０ａ側に一対のモータ端子片５０，６０が取着されている。これら一対のモータ端子片５０，６０は半田付け等でブラシ対３１に接続されている。
【００１５】
モータ端子片５０，６０は、端蓋３０の下面３０ｂよりも下方へ突出した部分において、下方延出部５３ａ，６３ａから上方へ屈曲し、基板２の矩形孔２ａに差し込むべき湾曲状弾力部（返し屈曲部）５３ｂ，６３ｂを一体的に有する。即ち、モータ端子片５０，６０は、端蓋３０の背面３０ａ側に沿って延びた第１部分５１，６１と、第１部分５１，６１から前方に折れ曲がって端蓋３０の下面３０ｂ側に沿って延びた第２部分５２，６２と、第２部分５２，６２から下方に折れ曲がった下方延出部５３ａ，６３ａの後方側に湾曲状弾力部５３ｂ，６３ｂを形成する第３部分５３，６３とから成る。
【００１６】
基板２は、一対の湾曲状弾力部５３ｂ，６３ｂを差し込むための矩形孔２ａと、第２部分５２，６２が設置しクリーム半田（図示せず）で固着接続するための導電パターン２ｂ，２ｃと、胴部１１の平坦下面１１ｂをクリーム半田（図示せず）で固着接続するための独立パターン２ｄとを有している。
【００１７】
基板２への実装の際、一対の湾曲状弾力部５３ｂ，６３ｂを基板２の矩形孔２ａに嵌めると、図２（ｂ）に示す如く、モータケース１０の前端側接触点Ｐを中心とする前倒れモーメントＭが発生しても、湾曲状弾力部５３ｂ，６３ｂと矩形孔２ａとの圧入掛り止め又は摩擦抵抗や例えば孔壁に対する湾曲状弾力部５３ｂ，６３ｂの後端が回り止め作用を果すため、振動モータ１の前倒れを防止することができる。２つの湾曲状弾力部５３ｂ，６３ｂで仮固定されるため、振動モータ１の横臥姿勢の保持が確実となる。
【００１８】
湾曲状弾力部５３ｂ，６３ｂは弾力的に変形可能であるため、基板２の矩形孔２ａへの嵌め合いではスムーズな挿入が可能であってオートマウントの位置決め精度をラフにできると共に、挿入後もその弾力性によって締り嵌め状態となるので、リフロー炉への搬送中においても抜けやズレが生じ難い。そして、湾曲状弾力部５３ｂ，６３ｂはモータ端子片５０，６０と一体であるため、部品点数の追加を招かず、低コスト化を図り得る。
【００１９】
特に本例では、湾曲状弾力部５３ｂ，６３ｂが基板２の矩形孔２ａに差し込まれる際、湾曲状弾力部５３ｂ，６３ｂに印加する反力を端蓋３０の下面３０ｂが受け止めるため、モータケース１０内のブラシ３１等に接続する第１部分５１，６１に応力が波及せずに済み、半田等の剥離を防止できる。また、湾曲状弾力部５３ｂ，６３ｂが端蓋３０の下面３０ｂに隠れ、第２部分５２，６２が導電パターン２ｂ，２ｃに載るため、第１部分５１，６１と導電パターン２ｂ，２ｃとの半田付けが容易になると共に、端蓋３０の基板占有面積から導電パターン２ｂ，２ｃが大きくはみ出さずに済む。
【実施例２】
【００２０】
図４は本発明の実施例２に係る振動モータを基板へ実装する態様を示す斜視図、図５（ａ）は同振動モータの実装状態を示す斜視図、図５（ｂ）は同実装状態を示す断面側面図、図６（ａ）は同振動モータに用いるモータ端子片付き端蓋を示す斜視図、図６（ｂ）は同モータ端子片付き端蓋の背面図、図６（ｃ）は同モータ端子片付き端蓋の側面図である。なお、図４〜図６において、図１〜図３に示す部分と同一部分には同一参照符号を付し、その説明は省略する。
【００２１】
本例の振動モータ１′において、実施例１に係る振動モータ１と異なる点は、モータ端子片５０′，６０′の形状の点にある。即ち、本例のモータ端子片５０′，６０′は、端蓋３０の背面３０ａ側に沿って延びた第１部分５１，６１と、第１部分５１，６１から端蓋３０の下面３０ｂよりも下方へ突出した下方延出部５２ａ，６２ａの前方側に湾曲状弾力部（返し屈曲部）５２ｂ，６２ｂを形成する第２部分５２′，６２′とから成る。
【００２２】
基板２への実装の際、一対の湾曲状弾力部５２ｂ，６２ｂを基板２の矩形孔２ａに嵌めると、図５（ｂ）に示す如く、モータケース１０の前端側接触点Ｐを中心とする前倒れモーメントＭが発生しても、湾曲状弾力部５２ｂ，６２ｂと矩形孔２ａとの圧入掛り止め又は摩擦抵抗や例えば孔壁に対する下方延出部５２ａ，６２ａの後端が回り止め作用を果すため、振動モータ１′の前倒れを防止することができる。２つの湾曲状弾力部５２ｂ，６２ｂで仮固定されるため、振動モータ１′の横臥姿勢の保持が確実となる。
【００２３】
湾曲状弾力部５２ｂ，６２ｂは弾力的に変形可能であるため、基板２の矩形孔２ａへの嵌め合いではスムーズな挿入が可能であってオートマウントの位置決め精度をラフにできると共に、挿入後もその弾力性によって締り嵌め状態となるので、リフロー炉への搬送中においても抜けやズレが生じ難い。そして、湾曲状弾力部５２ｂ，６２ｂはモータ端子片５０′，６０′と一体であるため、部品点数の追加を招かず、低コスト化を図り得る。
【００２４】
特に本例では、モータ端子片５０′，６０′が実施例１における第２部分５２，６２を具備していないため、製造が容易となる。
【図面の簡単な説明】
【００２５】
【図１】本発明の実施例１に係る振動モータを基板へ実装する態様を示す斜視図である。
【図２】（ａ）は同振動モータの実装状態を示す斜視図、（ｂ）は同実装状態を示す断面側面図である。
【図３】（ａ）は同振動モータに用いるモータ端子片付き端蓋を示す斜視図、（ｂ）は同モータ端子片付き端蓋の背面図、（ｃ）は同モータ端子片付き端蓋の側面図である。
【図４】本発明の実施例２に係る振動モータを基板へ実装する態様を示す斜視図である。
【図５】（ａ）は同振動モータの実装状態を示す斜視図、（ｂ）は同実装状態を示す断面側面図である。
【図６】（ａ）は同振動モータに用いるモータ端子片付き端蓋を示す斜視図、（ｂ）は同モータ端子片付き端蓋の背面図、（ｃ）は同モータ端子片付き端蓋の側面図である。
【符号の説明】
【００２６】
１′…振動モータ
２…基板
２ａ…矩形孔
２ｂ，２ｃ…導電パターン
２ｄ…独立パターン
１０…モータケース
１１…胴部
１１ａ…平坦上面
１１ｂ…平坦下面
２０…ロータ
２１…モータ軸
３０…端蓋（エンドブラケット）
３０ａ…端蓋の背面
３０ｂ…端蓋の下面
３１…ブラシ対
４０…偏心錘
５０，６０，５０′，６０′…モータ端子片
５１，６１…第１部分
５２，６２，５２′，６２′…第２部分
５２ａ，６２ａ，５３ａ，６３ａ…下方延出部
５２ｂ，６２ｂ，５３ｂ，６３ｂ…湾曲状弾力部（返し屈曲部）
５３，６３…第３部分
Ｍ…前倒れモーメント
Ｐ…前端側接触点
【図１】
2006281029.tif 000003
【図２】
2006281029.tif 000004
【図３】
2006281029.tif 000005
【図４】
2006281029.tif 000006
【図５】
2006281029.tif 000007
【図６】
2006281029.tif 000008